(57)【特許請求の範囲】
【請求項１】
自動販売機で受け入れた硬貨を識別し、所定の商品を引き渡すとともに釣銭を払い出す硬貨処理装置において、
前記硬貨、および所定の価値額が設定された代用貨幣を受け入れ可能な投入口と、
前記投入口から受け入れられた硬貨を金種毎に貯留して前記釣銭として払い出し可能な釣銭貯留手段と、
前記硬貨、前記代用貨幣のいずれかが投入されたとき、投入された価値額と前記自動販売機から引き渡される商品の価格との差額に基づいて前記釣銭貯留手段から所定額の釣銭を払い出す釣銭払出し手段と、
前記釣銭貯留手段における前記硬貨の金種毎の貯留枚数をカウントし、該カウント値と前記釣銭払出し手段からの払い出し枚数に応じて前記商品の引き渡しを禁止するか否かを判断する釣銭制御手段と、
を備え、
前記釣銭制御手段では、前記代用貨幣が投入された時に前記カウント値を０にクリアすることにより、前記釣銭貯留手段における実際の硬貨貯留枚数にかかわらず前記釣銭払出し手段からの釣銭払い出しを禁止するようにしたことを特徴とする硬貨処理装置。
【請求項２】
さらに、前記投入口から受け入れた硬貨を一時貯留する一時貯留手段と、
前記硬貨または前記代用貨幣の返却要求に基づいて、前記一時貯留手段に一時貯留された前記硬貨を返却するとともに、前記代用貨幣を返却しないように制御する返却制御手段とを備え、
前記返却制御手段では、前記返却要求による前記代用貨幣の価値額に応じたダミーデータを出力することを特徴とする請求項１記載の硬貨処理装置。
【請求項３】
前記返却制御手段では、最初に前記投入口から前記硬貨を受け入れたときは、前記商品の引き渡しが終わるまでは硬貨のみを受け入れるとともに、最初に前記代用貨幣を受け入れた以降には、投入される硬貨を直ちに返却し、代用貨幣のみを受け入れるように制御することを特徴とする請求項２記載の硬貨処理装置。
【発明の詳細な説明】
【技術分野】
【０００１】
本発明は、自動販売機で受け入れた硬貨を識別し、商品を引き渡すとともに釣銭を払い出す硬貨処理装置に関し、とくに遊技場などで使用されているメダルを通常の自動販売機で使用可能にする硬貨処理装置に関する。
【背景技術】
【０００２】
自動販売機（以下、自販機という。）などの硬貨を扱う装置では、投入された硬貨の種類を識別し、行き先を振り分けるための硬貨処理装置（以下、コインメックともいう。）が内蔵されている。こうした硬貨処理装置は、流通している特定金種の硬貨を識別することによってその使用を可能にするとともに、そこに投入された硬貨を金種別に貯留する釣銭収納部を備え、商品購入者に釣銭を支払う際に、そこから釣銭相当額の硬貨を払い出すようにしたリサイクル式のものが知られている。
【０００３】
従来の硬貨処理装置は、投入された硬貨が釣銭収納部の釣銭チューブに下から順に収納されていき、釣銭が必要な時に、その投入された硬貨、あるいはあらかじめ釣銭用として釣銭チューブに貯えられていた硬貨を、釣銭チューブの最下部より払い出す構造となっている。
【０００４】
この場合、硬貨を投入した後に無販売のまま返却行為が行われると、投入金額分の硬貨はそのまま返却されるが、投入した硬貨とは異なる硬貨が返却されてしまう。そのため、硬貨処理装置が正貨と誤判別する偽貨を投入して返却操作を行った場合、正貨が払い出されて、偽貨から正貨へのすり替えが起きることになる。そこで、硬貨が投入された場合、その硬貨を釣銭チューブに導かずに一時保留しておき、返却行為があった場合には、その一時保留しておいた硬貨をそのまま返却するための一時保留部が設けられたエスクロ方式となっている。この一時保留部では、硬貨が投入されると、その経路上に設けられたストッパが投入された硬貨を一時保留する。そして、自販機側の制御部から返却指令、または商品の購入指令が送られると、ストッパが経路上から待避し、その下流側に設けられたゲートが返却指令または商品の購入指令に応じて動作する。すなわち、商品が購入されずに返却指令があると、硬貨を返却口へ通じる通路にゲートを切り替え、商品の購入指令の場合は、硬貨を釣銭チューブへ通じる通路にゲートを切り替える。
【０００５】
さて、飲料メーカなどで新商品キャンペーンや特定の商品サービスの一環として、代用硬貨となるメダル（以下、硬貨代用メダルともいう。）を配布し、新商品などを自販機によって販売することがある。たとえば自販機利用の顧客に対するサービスの一環で、大量に商品購入された場合、あるいは展示会に来場した顧客へのサービスとして配布された硬貨代用メダルによって、ジュースなどの飲料を自販機から提供する場合である。また、遊技場などで使用されているメダルを、通常の硬貨を投入する自販機で使用可能にすることによって、遊技場内のスペースを有効利用できる。そのような場合には、流通している各種硬貨と同様に自販機で硬貨代用メダルを受け入れ、指定された商品販売を指示するために、硬貨およびメダルの併用に対応する処理を行う硬貨処理装置（硬貨・メダル併用コインメック）が必要である。
【０００６】
ところが、従来の自販機に用いられる硬貨処理装置は、硬貨代用メダルのような硬貨以外の手段で商品購入するという概念がない。また、硬貨処理装置にメダル専用の投入口を設けていない。そのため、通常の硬貨投入口を利用して硬貨およびメダルを受け入れることになる。したがって、こうした硬貨処理装置では投入された硬貨代用メダルを硬貨と同様に取り扱って、自販機側制御部に対して所定の金額データを送信することになる。たとえば、メダル１枚に「１２０円」相当の価値を付与している場合、自販機側制御部にコインメックからメダル１枚の受け入れデータが送られたとき、そのデータは「１２０円」相当の価値である百円硬貨１枚と十円硬貨２枚の金額データとして解釈されることになる。
【０００７】
一般的に、換金不可の代用硬貨として配布されたメダルは、自販機における商品購入に伴って釣銭の払い出しをしないこととしている。そのため、硬貨処理装置では投入された硬貨代用メダルに付与されている価値以下の商品を選択できないようにする必要がある。同様に、自販機の返金レバーなどによってメダルを投入した後に返金操作が行われても、投入されたメダルに代えて硬貨を返金しないようにする必要もある。通常の自販機において換金不可のメダルが投入された場合、釣銭の払い出しや硬貨による返金を行わないように設定することについては、メダルが投入された時点で自販機が「メダルによる商品購入に際して、釣銭は出ません。」といった案内を徹底するなどの運用により、顧客とのトラブルを避けることは容易である。
【０００８】
特許文献１には、自販機の管理者がサービス目的で発行した硬貨代用メダル（トークン）をも受け入れて、所定の金額を投入したのと同じ効果を得るようにして、トークンを持った特定の顧客に対して実質上割引などを行うための装置の記載がある。この装置は、切換えスイッチを設けて、トークンの受け入れの可否を管理者によって任意に選択できるようにしたものである。
【０００９】
また、特許文献２の発明は、特許文献１のものと同様、硬貨と硬貨代用メダル（トークン）とを併用可能にしたものであるが、さらに何回かの販売動作のうちのある販売動作に伴ってトークンを発行し、確率的に顧客へのサービスを行うようにしている。
【００１０】
特許文献３は、使用者から受け取った貨幣の代わりに価値のあるもの（商品）を与え、あるいはサービス、または特定の機能を実行する自販機、ゲーム機、遊技機、支払い電話、小銭供給機、およびこれらに類似する機械の分野で使用される代用貨幣（トークン）の発明であって、ここでは異なる価値の処理を許可するために使用でき、あるいはトークンを繰り返し使用できるように、装置によって返却されるデータ記憶代用貨幣を本物の硬貨の代わりに、あるいは本物の硬貨の外に装置が扱うことができるようにしている。
【特許文献１】特開昭５６−８８５９０号公報
【特許文献２】特開昭５６−８８５９１号公報
【特許文献３】特開昭６０−１５３５８９号公報
【発明の開示】
【発明が解決しようとする課題】
【００１１】
ところで、従来の自販機では、商品販売にあたり自販機側制御部とコインメックとの間で硬貨投入に伴って入金情報、商品情報、釣銭情報、硬貨収納情報など、種々のデータの受け渡しが行われる。そのため、自販機に硬貨代用メダルが投入されたとき、釣銭貯留枚数にかかわらず釣銭の払い出しを禁止した場合には、通常の硬貨投入時とは異なり、自販機側制御部との間でこれらのデータのやり取りに不整合が生じ、その後の自販機動作が停止してしまうおそれがあった。
【００１２】
また、自販機に投入された硬貨代用メダルの返却要求があったとき、硬貨による返金を行わないようにする必要があるが、上述の場合と同様に、通常の硬貨返却時とは異なり、自販機側制御部との間でのデータのやり取りに不整合が生じる。
【００１３】
なお、上述した特許文献１〜３の発明では、いずれも自販機の硬貨投入口に硬貨と硬貨代用メダルのいずれをも投入でき、メダルを硬貨と同等に扱うようにしているものの、メダルに対しては釣銭を伴う販売が禁止されていない。また、硬貨代用メダルを自販機に投入した後に返金操作が行われても、投入されたメダルの代わりとなる硬貨を返金しないようにする点について、いずれの特許文献１〜３にも記載はない。
【００１４】
本発明はこのような点に鑑みてなされたものであり、硬貨代用メダルが投入されたときに、その硬貨代用メダルに設定された価格以下の商品の販売をできるだけ行わないようにした硬貨処理装置を提供することを目的とする。
【００１５】
また、本発明の別の目的は、硬貨代用メダルの投入後にその返却要求操作が実行されても、硬貨代用メダルの返却を行わないようにした硬貨処理装置を提供することである。
【課題を解決するための手段】
【００１６】
本発明では、上記問題を解決するために、自動販売機で受け入れた硬貨を識別し、所定の商品を引き渡すとともに釣銭を払い出す硬貨処理装置において、前記硬貨、および所定の価値額が設定された代用貨幣を受け入れ可能な投入口と、前記投入口から受け入れられた硬貨を金種毎に貯留して前記釣銭として払い出し可能な釣銭貯留手段と、前記硬貨、前記代用貨幣のいずれかが投入されたとき、投入された価値額と前記自動販売機から引き渡される商品の価格との差額に基づいて前記釣銭貯留手段から所定額の釣銭を払い出す釣銭払出し手段と、前記釣銭貯留手段における前記硬貨の金種毎の貯留枚数をカウントし、該カウント値と前記釣銭払出し手段からの払い出し枚数に応じて前記商品の引き渡しを禁止するか否かを判断する釣銭制御手段と、を備え、前記釣銭制御手段では、前記代用貨幣が投入された時に前記カウント値を０にクリアすることにより、前記釣銭貯留手段における実際の硬貨貯留枚数にかかわらず前記釣銭払出し手段からの釣銭払い出しを禁止するようにしたことを特徴とする硬貨処理装置が提供される。
【００１７】
また、本発明の硬貨処理装置は、さらに、前記投入口から受け入れた硬貨を一時貯留する一時貯留手段と、前記硬貨または前記代用貨幣の返却要求に基づいて、前記一時貯留手段に一時貯留された前記硬貨を返却するとともに、前記代用貨幣を返却しないように制御する返却制御手段とを備え、前記返却制御手段では、前記返却要求による前記代用貨幣の価値額に応じたダミーデータを出力することを特徴とする。
【発明の効果】
【００１８】
本発明によれば、硬貨代用メダルと硬貨とを併用できる自販機において、メダルを受け入れたときに釣銭を伴う販売機会を極力減少させることができる。また、投入された硬貨代用メダルを返却しないときでも、自販機での継続した商品販売が可能になる。
【発明を実施するための最良の形態】
【００１９】
以下、図面を参照してこの発明の実施の形態について説明する。
（実施の形態１）
図１は、実施の形態１に係る硬貨処理装置の正面形状を示す外観図である。
【００２０】
この発明は、硬貨と硬貨代用メダル（以下、トークンという。）とを併用可能な硬貨処理装置に関するものであるが、硬貨のみを使用するコインメックと機構的な相違はない。
同図において、コインメック１００の本体は、硬貨・トークン投入口１０１と、この硬貨・トークン投入口１０１から入って硬貨通路を落下する途中で硬貨の金種および真贋、トークンの価値額などを識別する識別部１０２と、この識別部１０２から図示しない自販機側制御部へ入金データなどを送信し、かつ自販機側制御部から商品選択データなどが転送されてくるデータ送受信ケーブル１０３と、電子式の検銭手段を主体とする検銭部１０４と、あらかじめ格納され、または検銭された硬貨を釣銭用として収納保持する釣銭収納部１０５と、後述の硬貨・トークン返却制御や釣銭払出制御などを実行するための払出し部１０６とからなる。
【００２１】
図２は、コインメックの機能構成を示す内部構造図である。
コインメック１００の下半分は釣銭チューブ部１０となっており、ここには、十円硬貨、五十円硬貨、百円硬貨、五百円硬貨をそれぞれ収納することができる金種別の釣銭チューブ１０ａ〜１０ｄと、補助釣銭チューブ（「ＳＵＢ」）１０ｅが配置されている。補助釣銭チューブ１０ｅには、自販機で販売する商品の価格設定に応じて、釣銭不足が予測される任意の金種に設定可能である。一般には、十円硬貨、あるいは百円硬貨のいずれかに設定される。
【００２２】
また、図２の上半分は、硬貨・トークン投入口１０１から投入された硬貨を振り分けて、釣銭チューブ部１０に導くとともに、エスクロ部といわれる、投入硬貨を一時保留する保留部２０が構成されている。
【００２３】
図２には、五百円硬貨が２枚、百円硬貨が３枚、一時保留された状態を示している。返却が必要な場合、ここから払い出すことになる。
本発明では、投入されたトークンは、保留部２０で一時保留した後に返却するか、あるいは保留部２０で一時保留することなく、図示しない自販機のキャッシュボックス（金庫）に直接導くものとする。ここでは、保留部２０で一時保留されたトークンは、商品販売を行わなかったときには返却される。しかし、商品が販売された後には、トークンは補助釣銭チューブ１０ｅの裏側に形成された搬送路から自販機のキャッシュボックスに導かれて、釣銭チューブ部１０には導入されない。
【００２４】
コインメック１００における制御部で実行される釣銭枚数制御は、自販機への硬貨投入直後に、投入された硬貨の金額を識別して投入金額を確定する。つぎに、この投入金額から販売される商品の金額を差し引いて、その金額に対応する釣銭の返却が可能かどうかを判断して、自販機側制御部を制御して販売可能な商品を特定するようにしている。
【００２５】
なお、コインメック１００における制御部では自販機による１回の商品販売に関して、コインメック１００にはトークンあるいは硬貨のいずれか片方だけが受け入れ可能であると設定されており、混合した使用が禁止されている。すなわち、最初にトークンを投入した場合には、商品販売が完了するか、トークンが返却されるまでは、その後に硬貨が投入されても自動的に返却口に排出される。同様に、反対に先に硬貨が投入された場合には、その後に投入されたトークンは自動的に返却口に排出される。
【００２６】
つぎに、コインメック１００における上述した釣銭枚数制御の具体的な手順を説明する。ここでは、最初に従来装置における釣銭枚数制御を説明し、つぎに実施の形態の釣銭枚数制御を説明する。
【００２７】
コインメック１００では、金種毎の釣銭チューブ１０ａ〜１０ｄの背面などに近接センサなどの検知手段を配置して、この検知手段からの信号（「釣銭あり」信号）がコインメック１００の制御部に入力したとき、釣銭枚数メモリの対応領域にそれぞれの釣銭枚数として規定値がセットされる。「釣銭あり」信号の入力がなければ、コインメック１００の制御では釣銭枚数メモリに記録されている釣銭枚数データをクリアして０枚とする。ここでは、百円硬貨、十円硬貨、および五十円硬貨の各釣銭チューブ１０ｂ〜１０ｄから、それぞれ対応する信号を受け取っている。
【００２８】
図５は、従来のコインメックでの釣銭枚数制御を行う場合の処理手順を示すフローチャートである。
図５では、ステップＳ１で十円硬貨についての「釣銭あり」信号の有無を判断し、釣銭があればステップＳ２に進み、十円硬貨釣銭枚数データを規定値にセットする。十円硬貨の釣銭チューブ１０ｃが空であればステップＳ３に進み、十円硬貨釣銭枚数データを０にクリアする。つぎに、ステップＳ４では同様に五十円硬貨についての判断が行われ、ステップＳ５あるいはステップＳ６が実行される。ここには図示を省略しているが、百円硬貨についても同様のステップが実行される。なお、すべての検知手段が「釣銭あり」信号を出力していれば、十円硬貨、五十円硬貨、および百円硬貨がそれぞれのチューブに１０枚以上貯留していることとする。
【００２９】
そのような状態で、５００円相当の価値額に設定されたトークンが投入されたとする。ステップＳ０では、トークンの投入があったかどうかの判断がなされ、さらにステップＳ７では硬貨の投入があったかどうかの判断がなされる。硬貨が投入されていれば、ステップＳ８に進んで、投入された硬貨分の釣銭枚数を加算する。
【００３０】
たとえば、五百円硬貨を１枚だけ投入して１２０円の商品を購入する場合の釣銭枚数制御では、釣銭収納部１０５に３８０円以上の釣銭が収納されていることが必要である。すなわち、釣銭チューブ部１０に百円硬貨が３枚以上と、十円硬貨が８枚以上あるいは十円硬貨３枚と五十円硬貨１枚の釣銭があれば、商品販売が可能になる。
【００３１】
いま、たとえば１２０円の商品が選択され、販売終了の時点で釣銭３８０円を返却するには、コインメックの制御部に対して自販機側制御部から釣銭返却の指示がなされる。ステップＳ０で、硬貨ではなくトークンが投入されたと判断した場合に、トークンが硬貨に換金されないためには、一律に釣銭返却を行わなければよい。
【００３２】
ところが、トークンを保留部２０で一時保留するような構成であれば、ステップＳ９からステップＳ１０に進んで、投入された５００円相当のトークンに対する釣銭枚数を、販売される商品の価格に対応して加算するなど上述した釣銭処理が行われる。しかし、自販機側制御部ではトークンが投入されたか、それとも五百円硬貨が投入されたかについては、区別がつかない。そのため、従来の釣銭枚数制御では、５００円以下の商品であって釣銭返却可能なものは全て販売可能と判断されていた。
【００３３】
そこで、投入されたトークンの価値額と等しい商品のみを販売可能とするために、つぎに説明するコインメックの釣銭枚数制御では、返却すべき釣銭が釣銭チューブ部１０にあっても、釣銭なしと判断して選択可能な商品を限定するようにした。
【００３４】
図３は、改良されたコインメックにおける釣銭枚数制御の手順を示すフローチャートである。
ここでは、最初のステップＳ０においてコインメック１００へのトークンの投入があったかどうかを判定している。「投入なし」という判定であればステップＳ１に進み、以下のステップＳ２〜Ｓ８に示す通常の釣銭枚数制御が実行される。ステップＳ０でトークンの投入があったと判定されると、つぎにステップＳ００に進んで、「釣銭あり」信号の有無にかかわらず釣銭枚数メモリの釣銭枚数データをクリアする。
【００３５】
いま、５００円相当の価値額が設定されたトークンが投入され、それが保留部２０で一時保留された場合について考える。上述したステップＳ００で、十円硬貨、五十円硬貨、および百円硬貨の貯留枚数がいずれも０枚にクリアされる。したがって、自販機側制御部にはクリアされた釣銭枚数データが送信され、これによってトークンに設定された５００円の商品のみの販売が可能となり、５００円未満の商品の販売は不可能になる。こうして自販機側制御部では、自販機に対して釣銭を伴う商品販売を一律に禁止して、トークンの価値額と等しい商品のみが販売できることになる。
【００３６】
商品販売後には、再びトークンの投入か否かを検知するステップＳ０から釣銭枚数処理が実行される。したがって、トークンではなく硬貨が投入された時点で、硬貨分の釣銭枚数データを再び出力し、硬貨による釣銭を伴う販売に支障が生じない。
【００３７】
このように、硬貨あるいはトークンの投入時点で、コインメック１００の制御部でトークンの投入であるか否かの判断を行い、トークンであった場合だけ釣銭枚数の記憶値を０にクリアするようにしたことにより、トークンによる商品販売の際に釣銭を出さないようにできるだけでなく、その後の硬貨による商品販売にも支障を来たさないという利点がある。
【００３８】
（実施の形態２）
ここでは、トークン・硬貨の返却制御の手順について説明するが、硬貨とトークンとを併用可能な硬貨処理装置については、すでに説明した実施の形態１のもの（図１、図２）と同様に構成されているものとする。
【００３９】
このコインメック１００は、投入されたトークンを自販機側のキャッシュボックス（金庫）に直接導く機能を持つ。この場合、自販機に投入されたトークンは物理的に返却できない。自販機自体の運用では、「返却しません。」という案内があれば十分である。しかし、自販機側制御部では、コインメック１００に投入されたものが硬貨なのか、それともトークンなのかを判断することができない。そのため、利用者が自販機の返金レバーなどを操作して返却信号を受け取った自販機側制御部では、コインメック１００に硬貨返却処理を行うように指示することになる。
【００４０】
トークンの返却制御では、投入されたトークンがエスクロされていれば、通常の硬貨のエスクロと同様に、エスクロされたトークンの返却制御が行われる。しかし、トークンをエスクロしないで自販機側のキャッシュボックスに導いた場合、返却処理を行うことができない。ここで、従来の返却制御では、実際には返却しなかったということで、「返却した」というデータを送信しないで、「払い出し終了状態」という信号データのみを送信していた。
【００４１】
図６は、従来のコインメックでトークン・硬貨の返却制御を行う場合の処理を示すフローチャートである。
具体的には、たとえば１枚５００円相当に設定されたトークンが投入され、それがキャッシュボックスに収納されて、かつ商品を選択しないで返却操作を行ったとする。この場合、自販機側制御部から「５００円返却」という返却命令がコインメック制御部に送信される。コインメック制御部では、ステップＳ１１からステップＳ１２に進んだとき、エスクロ設定されていないことからトークンが返却できない。
【００４２】
ステップＳ１４ないしＳ１６は、硬貨が投入されている場合の返却処理である。硬貨が投入されたときは、ステップＳ１６でコインメック制御部から自販機側制御部に払い出された金種データが送信される。しかし、エスクロ設定されていないコインメック制御部ではトークンが返却されないため、ステップＳ１２からステップＳ１７に進んで、「払い出し終了」の状態データが自販機側制御部に送信される。
【００４３】
ところが、自販機側制御部の種類によっては、コインメック１００に返却指示した分の返金データが受信されなければ、「返却終了」としないものがある。すなわち、「５００円１枚」あるいは「１００円５枚」などの返金データが、コインメック１００から返信されない限り、自販機側制御部での返却処理を終了させることができずに、自販機動作が停滞したままとなる。そのため、自販機の機能が停止状態となり、その後には商品の販売が行えなくなる。
【００４４】
図４は、改良されたコインメックにおけるトークン・硬貨の返却制御手順を示すフローチャートである。
このトークン・硬貨の返却制御は、ステップＳ１７で「払い出し終了」の状態データを送信する前に、ステップＳ２０においてダミーデータをコインメック１００から送信する機能を追加した。そのため、自販機側制御部では、送信した返却命令分の返金データを受信できる。
【００４５】
このように、コインメック１００で「５００円返却」の返金命令を受け、払い出し動作は行わなかったにもかかわらず、「５００円１枚」の払い出し金種のダミーデータを自販機側制御部に送信することによって、これを受け取った自販機側制御部ではステップＳ１７で「払い出し終了」の状態データを受信できる。したがって、自販機側制御部が確実に「返却終了」となって、自販機をつぎの販売待ち状態へと移行させることができる。
【図面の簡単な説明】
【００４６】
【図１】実施の形態１に係る硬貨処理装置の正面形状を示す外観図である。
【図２】コインメックの機能構成を示す内部構造図である。
【図３】改良されたコインメックにおける釣銭枚数制御の手順を示すフローチャートである。
【図４】改良されたコインメックにおけるトークン・硬貨の返却制御手順を示すフローチャートである。
【図５】従来のコインメックでの釣銭枚数制御を行う場合の処理手順を示すフローチャートである。
【図６】従来のコインメックでトークン・硬貨の返却制御を行う場合の処理を示すフローチャートである。
【符号の説明】
【００４７】
１００  コインメック
１０１  硬貨・トークン投入口
１０２  識別部
１０３  データ送受信ケーブル
１０４  検銭部
１０５  釣銭収納部
１０６  払出し部
【図１】
0004539501.tif 000002
【図２】
0004539501.tif 000003
【図３】
0004539501.tif 000004
【図４】
0004539501.tif 000005
【図５】
0004539501.tif 000006
【図６】
0004539501.tif 000007